(57)【要約】      （修正有）【課題】簡単に針とハリスが固定できる１本針から複数針の構造と製造方法の提供。【解決手段】１本針から複数針まで頭部Ｅを中空円錐形にし、端を軸に巻くか軸と共によじって作ることによって誰でも簡単に針とハリスが結合でき、さらに複数針は軸に希望本数の軸を添わせて、共によじることで複数はりが簡単に作れなおかつ複数針に半田、結び糸、接着剤を使わずに作られている釣針。【選択図】図４
2008043312.tif 000002
【特許請求の範囲】
【請求項１】
丸棒を針のフック部、軸部から頭部にたいし楕円形、近以楕円形、二面相似蒲鉾形、二面相以菱形など適応形に加工しさらに頭部を中空円錐形に曲げ頭部の糸と通し状態Ｔ字横棒を０度とし２度から８５度の角度の間による糸と通し角度になるように中空円錐形部を曲げ、さらに末端部を軸部に巻きつけてある形の釣針
【請求項２】
丸棒を針の軸部の適応箇所より頭部先端に対し先細の楕円形、近似楕円形、二面相似蒲鉾形、二面相似菱形等に加工し、さらに頭部を中空円錐形に曲げ頭部の糸通し状態Ｔ字横棒を０度とし２度から８５度の間による糸通し角度になるよう中空円錐形部を曲げさらに末端部を軸部に巻きつけてある形の釣針
【請求項３】
丸棒を針のフック部、軸部から頭部にたし楕円形、近似楕円形、二面相似蒲鉾形、二面相似菱形又は軸部を細身の楕円形、二面相似蒲鉾形、二面相以菱形又は軸部から頭部先端に対し先細の楕円形、二面相似蒲鉾形、二面相以菱形等に加工し、さらに頭部の箇所を中空円錐形に曲げ頭部の中空円錐形から軸部に対し末端加工に必要な長さに加工し糸通し状態Ｔ字横棒を０度とし２度から８５度の間による糸通し角度になるよう中空円錐形部を曲げ、さらに端を軸部に巻きつけるか軸と共によじってある形の釣針
【請求項４】
丸棒を２本の針先から頭部までの長さに加工し中央頭部に当たる必要箇所を楕円形、近似楕円形、二面相似蒲鉾形、二面相似菱形等に加工しさらに頭部を中空円錐形に曲げ頭部の糸通し状態Ｔ字横棒を０度とし２度から８５度の間による糸通し角度になるように中空円錐形部を曲げ、針先と軸部を２本にしさらに軸部を共によじって作られている形態の釣針
【請求項５】
請求項４のよじる前の２軸に１本から希望本数の軸を沿わせ軸部をよじり複数の軸を一体化にした形の釣針
【請求項６】
丸棒を２本針分の針先の必要箇所より頭部までの長さを楕円形、近似楕円形、二面相似蒲鉾形、二面相似菱形などに加工しさらに中央の頭部分を中空円錐形に曲げ頭部の糸通しＴ字横棒を０度とし２度から８５度の間による糸通し角度になるように中空円錐形部を曲げ軸を２軸にし２軸にたいし一本から希望本数の一本針の軸を沿わせ共に軸部をよじり複数の軸部を一体化にした形の釣針
【請求項７】
丸棒を２本針分の軸部から頭部までの長さの丸棒を２本針分の軸部の必要部分から頭部まで細身にし、頭部に当る必要部分を楕円形、近似楕円形、二面相似蒲鉾形、二面相似菱形等に加工しさらに中央の頭部分を中空円錐形に曲げ糸通しＴ字横棒を０度とし２度から８５度の間による糸通し角度になるように中空円錐形に曲げ２軸にし２軸に一本から希望本数の軸部より頭部までを細身した一本針の軸を沿わせ軸部を共によじり複数の軸部を一体化にした形の釣針
【請求項８】
丸棒を２本分の２軸部分から頭部まで細身にし、頭部にあたる部分を楕円形、近似楕円形、二面相似蒲鉾形、二面相似菱形等に加工し、さらに中央の頭部分を中空円錐形に曲げ糸通しＴ字横棒を０度とし２度から８５度の間による糸通し角度になるよう頭部を中空円錐形に曲げ２軸にし２軸にたいし、軸部を細くした１本針から希望本数の軸部を沿わせ軸部をよじり複数の軸部を一体化にした形の釣針
【請求項９】
請求項１から請求項３までの針にたいし頭部を中空円錐形に曲げた後に端部を軸部に巻く、よじる等の加工を行わない釣針
【発明の詳細な説明】
【発明の詳細な説明】
【０００１】当発明は１本針から複数の針まで、頭部を中空円錐形に加工してある為に軸部にハリスを結ばなくても、中空円錐形にハリスを通しハリスに結び目を作ることで固定でき魚釣りが出来る利点と現在の鮎釣用の針は２本錨は官付型若しくはハリスに糸と接着剤で固定されている。
３本錨４本錨等の複数の針を作る時ハリスに針の軸部を沿わせ結び糸で固定し、接着剤を使い固定しているが、一端錨形が崩れ熊手形になると釣を行っている時に熊手形に成り魚が掛からない、さらにルアー用の複数針の錨針を作る時に現在は軸部を半田付けをしている為に鉛を使用しているが、当針は複数針を作るに軸部を希望本数を軸に沿わせ、共によじることで複数の針の軸部を固定を行っている為に、鉛、接着剤を使わない。
鮎釣用錨針を作るときに軸部を最小限に細身にし、よじって作ることで、軽量化され鮎に対する負担が少ない為に、友釣時の親鮎の弱りが軽減される。釣針の軸部よりフック部に対し楕円形、近似楕円、二面相似蒲鉾形、二面相似菱形にすることで、フック部の強度を増すため従来の針より細身にでき、特に楕円形、近似楕円、二面相似菱形にすると水流抵抗が削減され、鮎弱りが丸状より防げる。
【産業上の利用分野】
【０００２】レジャー用魚釣り、漁師などの魚釣り等
【背景技術】
【０００３】丸棒の軸頭部の頭部を潰すか、または官付等は軸頭部を丸棒を丸棒の状態で曲げてある為、潰してあるものは軸部にハリスを結ぶか官付は官付部の穴にハリスを結ぶか、付属固定器具を使いハリスを固定する。
複数針は鮎釣用の場合はハリスに軸部を沿わせ結び糸と接着剤で固定する。ルアー用などは台と成る軸部に別の針の軸を沿わせて半田付けに拠って固定されている。
【発明が解決する為の課題】
【０００４】誰でも簡単に針とハリスが固定できる針と鮎釣り用の複数針錨形の針を作る時に結び糸、接着剤を使い軸部を固定するために一端熊手形になると友釣用の針の機能をはたさない、ルアー用の複数針は半田付けを行なって作るために、微量であるが、鉛を使用するため沢山の人によって半田付け針を使うことで、水にたいし鉛公害が起る要因を持っている。
結び糸と接着剤を使わなくても軸部を固定された針、半田を使わなくても軸部を固定された複数針は低コストで出来る構造と中空円錐形部の強度の強化などを目的とする。
【発明が解決する為の手段】
【０００５】丸棒を針先の必要部分から頭部に当たる部分を楕円形、近似楕円形、二面相似蒲鉾形、二面相似菱形等に加工し頭部を中空円錐形に曲げる事で針にハリスの固定が簡単に成る。
【０００６】複数の針を持つ錨形針を作るに軸部を沿い合わせ、よじることで軸部が固定される。
【０００７】頭部を中空円錐形に加工しただけで小魚用には中空円錐形部は広がらず対応できるが、大物には対応できないために末端を軸部に巻きつけるか、軸部と共によじることによって、中空円錐形部の広がりに対し強度が高まり、大物釣にも対応できる。
【０００８】ルアー用に使うには頭部の中空円錐形部分に現在連結固定具に拠って固定されているが、固定具などは従来の連結固定具を使用すれば従来針と同じようにルアー用に使うことができる。
【発明の実態の形態】
【０００９】発明の実施形態を実施例に基づき図面を参照して説明する。
図１に付いてＡＢＣＤは一部針先、フック部、軸部、頭部などに加工されている断面図で、特にＡＢＤは、フック部の強度が増し、針の軽量化ができると共に鮎釣の友釣用に用いれば水流抵抗が軽減され鮎弱も軽減される。
【００１０】図一の加工部分の断面に示すようにフック部、軸部、頭部箇所を図１のように加工し頭部を図２のＥ中空円錐形に曲げる事で、ハリスをＦの中空部の広い箇所より通し、通したハリスの端部方向の希望箇所に結び目を作り中空部の小さい口の方向にハリスを引くことで、針にハリスが固定できる。
【００１１】図２、３に示すＧ軸部に頭部をＥ中空円錐形に曲げたＨはしを軸に巻きつけるか、Ｇ軸部とＨの端を共によじることでＥ中空円錐形の強度と軸と頭部の折れ点が強くなるばかりか中空円錐形の大きさを巻く時またはよじる時に調節することで大小を容易にできる。
【００１２】図４に示す針先からＧ軸部までの二本分の長さとＥ中空円錐形の一箇所分との長さの材料を図１で示す何れかに加工し、長さの半分の箇所をＥ中空円錐形に加工しＧ軸部を二本にし、Ｇ軸部に希望数の１本針の軸を沿わせ、Ｇ軸部と共に軸部をフック部近くまで、よじることで、希望する複数の針の軸部が固定され複数針が出来る。
【図面の簡単な説明】
【図１】釣針のフック部から頭部までの拡大図で、左より楕円形、近似楕円、二面相似蒲鉾形、二面相似菱形ある。
【図２】釣針の中空円錐形部と軸に末端部を巻きつけてある部分の拡大図
【図３】釣針の中空円錐形部と軸と末端部をよじってある部分の拡大図
【図４】中空円錐形より軸部をフック部の近くまでよじられている複数針の拡大図
【符号の説明】
Ａ  軸、フック部、針先の一部までの楕円形の拡大断面図
Ｂ  軸、フック部、針先の一部までの楕円形の拡大断面図
Ｃ  軸、フック部、針先の一部までの楕円形の拡大断面図
Ｄ  軸、フック部、針先の一部までの楕円形の拡大断面図
Ｅ  頭部の中空円錐形
Ｆ  頭部の中空円錐形の広い面
Ｇ  針の軸部
Ｈ  巻きつけてある末端部及び軸と共によじってある末端部
Ｉ  頭部の中空円錐形の細い面
Ｊ  針先
Ｋ  フック部
【図１】
2008043312.tif 000003
【図２】
2008043312.tif 000004
【図３】
2008043312.tif 000005
【図４】
2008043312.tif 000006